(57)【要約】【課題】  簡単な操作で流し槽上のスペースを利用してまな板や鍋蓋等の調理用具を置くことができると共に収納も容易にでき、取扱性ないし操作性の向上が図れる流し台を提供する。【解決手段】  流し槽３の両側上縁部にガイド部１０，１０を形成し、両側のガイド部１０，１０に支持バー部材１１を掛け渡して前後方向にスライド可能に設け、前後方向の後部を支持バー部材１１の収納位置Ａとし、流し槽３上の前後方向略中間位置を支持バー部材１１の使用位置Ｂとし、該使用位置Ｂの支持バー部材１１と流し槽３の周縁部とにまな板１２、鍋蓋１３等の調理用具を掛け渡して支持可能としている。【選択図】          図３
2006115869.tif 000002
【特許請求の範囲】
【請求項１】
流し槽の両側上縁部にガイド部を形成し、両側のガイド部に支持バー部材を掛け渡して前後方向にスライド可能に設け、前後方向の後部を支持バー部材の収納位置とし、流し槽上の前後方向略中間位置を支持バー部材の使用位置とし、該使用位置の支持バー部材と流し槽の周縁部とにまな板、鍋蓋等の調理用具を掛け渡して支持可能としたことを特徴とする流し台。
【発明の詳細な説明】
【技術分野】
【０００１】
本発明は、流し台に係り、特に流し槽の上面スペースを利用して調理時にまな板等の調理用具を載置可能とした流し台に関する。
【背景技術】
【０００２】
流し台の流し槽（シンク）上のスペースを利用してまな板等の調理用具を置けるようにする技術としては、例えば特開２００３−１０２５７０号公報に記載されている「シンク内調理台セット」が知られている。このシンク内調理台は、シンク上に支持具を架設し、該支持具上に脱着可能かつスライド可能なように調理台を装着している。該調理台としては、まな板や格子状構造のものが例示されている。
【０００３】
【特許文献１】特開平２００３−１０２５７０号公報
【発明の開示】
【発明が解決しようとする課題】
【０００４】
しかしながら、前記シンク内調理台においては、使用の度にシンク上に組立て設置する必要があるだけでなく、使用後にはシンク上から撤収する必要があり、これらの作業に手間がかかると共に、撤収後の置き場所に困るなど、取扱性ないし操作性に劣る問題がある。
【０００５】
本発明は、上記事情を考慮してなされたものであり、簡単な操作で流し槽上のスペースを利用してまな板や鍋蓋等の調理用具を置くことができると共に収納も容易にでき、取扱性ないし操作性の向上が図れる流し台を提供することを目的とする。
【課題を解決するための手段】
【０００６】
本発明は、流し槽の両側上縁部にガイド部を形成し、両側のガイド部に支持バー部材を掛け渡して前後方向にスライド可能に設け、前後方向の後部を支持バー部材の収納位置とし、流し槽上の前後方向略中間位置を支持バー部材の使用位置とし、該使用位置の支持バー部材と流し槽の周縁部とにまな板、鍋蓋等の調理用具を掛け渡して支持可能としたことを特徴とする。
【発明の効果】
【０００７】
本発明によれば、流し槽の両側上縁部にガイド部を形成し、両側のガイド部に支持バー部材を掛け渡して前後方向にスライド可能に設け、前後方向の後部を支持バー部材の収納位置とし、流し槽上の前後方向略中間位置を支持バー部材の使用位置とし、該使用位置の支持バー部材と流し槽の周縁部とにまな板、鍋蓋等の調理用具を掛け渡して支持可能としているため、簡単な操作で流し槽上のスペースを利用してまな板や鍋蓋等の調理用具を置くことができると共に収納も容易にでき、取扱性ないし操作性の向上が図れる。
【発明を実施するための最良の形態】
【０００８】
以下に、本発明を実施するための最良の形態について、添付図面を基に詳述する。図１は本発明の実施の形態である流し台を示す斜視図、図２は同流し台における支持バー部材の不使用時の要部平面図、図３は同流し台における支持バー部材の使用時の要部平面図、図４は同流し台の流し槽における支持バー部材不使用時の概略的横断面図、図５は同流し台の流し槽における支持バー部材使用時の概略的横断面図、図６は支持バー部材を示す図で、（ａ）は概略的平面図である。（ｂ）は同横断面図、図７は規制アーム部材の基部の取付構造を示す断面図である。
【０００９】
これらの図において、１は例えばシステムキッチン等の流し台である。この流し台１は、前面に扉や引出しを有し、内部が収納スペースとなったキャビネット２と、このキャビネット２の上部に設けられるステンレス製等の流し槽３を有する流し台本体４とから主に構成されている。流し槽３の底部には排水口５が設けられ、流し槽３内の水がこの排水口５から排水トラップ及び排水ホースを介して外部へ排水されるようになっている。
【００１０】
前記流し槽３の上部周縁部には深さの浅い浅絞り部６が形成されていると共に、流し槽３の後方（奥側）で且つ水栓（図示省略、但し水栓の取付位置を符号７で示す）よりも後方にはカウンター８の上面よりも低い領域（水栓等から飛散した水を受け、カウンター上に流れ出るのを防ぐ領域、水受け領域ともいう）９が流し槽３の幅の略全域に渡って浅絞り部６と一体的に連続して形成されている。この水受け領域９の深さは、浅絞り部６の深さよりも浅いことが好ましいが、浅絞り部６と同じ深さであっても良い。前記流し台１の上面部には、流し槽３、浅絞り部６及び水受け領域９を除いて例えば人造大理石等からなる略平面状のカウンター８が設けられていても良い。
【００１１】
前記流し槽３の両側上縁部には、ガイド部１０，１０が形成され、両側のガイド部１０，１０には支持バー部材１１が横方向（左右方向）に水平に掛け渡されて前後方向（横方向に直行する方向）にスライド可能に設けられている。すなわち、ガイド部１０は、前記浅絞り部６の前後方向に連続した部分からなり、略水平のスライド面１０ａと、垂直の立ち上り部である規制部１０ｂとからなっている。前記支持バー部材１１は、その両端部が両側のスライド面１０ａ上において規制部１０ｂにより横方向の移動が規制されながら前後方向にスライド自在に支持されている。
【００１２】
支持バー部材１１は、平面視で傾いたりすることなく一定の姿勢を維持したまま平行移動を可能とするために、左右両端部における前後方向の幅が大きいことが好ましい。また、支持バー部材１１の上下方向の厚さは、規制部１０ｂの高さ（深さ）と略同じであることが例えばまな板を略水平に支持する上で好ましい。支持バー部材１１の移動領域における前後方向の後部が支持バー部材１１の収納位置Ａとされ、流し槽３上の前後方向略中間位置が支持バー部材１１の使用位置Ｂとされ、この使用位置Ｂの支持バー部材１１と流し槽３の周縁部とにまな板１２、鍋蓋１３等の調理用具が掛け渡して支持可能とされている。
【００１３】
この場合、まな板１２は図３に仮想線で示すように支持バー部材１１と流し槽３の手前の上縁部及び一側上縁部（例えば右側上縁部）とに掛け渡されて（跨って）横置きに支持されることが使い勝手上好ましい。また、鍋蓋１３は例えば支持バー部材１１と流し槽３の後方上縁部である水受け領域９とに掛け渡されて支持されることが鍋蓋１３に付いた水滴を流し槽３内に落とせると共に水受け領域９を洗い流せるので好ましい。
【００１４】
一方、前記支持バー部材１１の不安定な動きを規制するために、流し槽３の後方上縁部に規制アーム部材１４を水平旋回可能に設けていることが好ましい。この場合、規制アーム部材１４の基端部が流し槽３の後方一側（図示例では左側）の上縁部例えば水受け領域９上面に立設した支軸１５の頭部１５ａに略直角に接合されている。支軸１５は、水受け領域９の母材（ステンレス板）１６上面に配置した座部１７、母材１６、該母材１６の下面に配置した裏打材１８及び滑り材１９を垂直に貫通し、裏止めネジ（ナット）２０を螺着して水平回転可能に設置されている。
【００１５】
規制アーム部材１４は例えばステンレス製のパイプからなることが好ましい。規制アーム部材１４の先端部は前記支持バー部材１１の長手方向に沿ってスライド可能に支持されており、これにより支持バー部材１１が浮き上がったり左右両端が上下に傾斜したりするのを抑制している。規制アーム部材１１の先端部の移動を円滑にするために、規制アーム部材１４の先端部には垂直の支軸２１ａを介してローラ（車輪）２１が回転可能に取付けられており、支持バー部材１１の後面部にはローラ２１をスライド可能に支持する断面略コ字状ないし断面略Ｃ字状のガイド溝２２が設けられている。
【００１６】
前記支持バー部材１１は、例えば金属製の形材（例えばアルミニウム押出形材）からなるバー部材１１ａと、該バー部材１１ａの両端部に接合された滑り易い材質例えば合成樹脂製の端部部材１１ｂとからなっている。端部部材１１ｂがガイド部１０にスライド自在に係合支持されている。支持バー部材１１を収納位置Ａから手前に引き出した時に使用位置Ｂに位置決め停止するために、前記ガイド溝２２内の所定位置には規制アーム部材１４の先端部であるローラ２１を受け止めるためのストッパー例えば合成樹脂製のキャッチャー２３が設けられていることが好ましい。このキャッチャー２３はローラ２１を一時的に嵌合保持する保持溝２３ａを有し、支持バー部材１１が勝手に後方に移動するのを抑制することができる。なお、支持バー部材１１は、直接手でスライド操作することができるが、図３に仮想線で示すように操作用の把手２４が設けられていても良い。
【００１７】
以上の構成からなる流し台１によれば、流し槽３の両側上縁部にガイド部１０，１０を形成し、両側のガイド部１０，１０に支持バー部材１１を掛け渡して前後方向にスライド可能に設け、前後方向の後部を支持バー部材１１の収納位置Ａとし、流し槽３上の前後方向略中間位置を支持バー部材１１の使用位置Ｂとし、該使用位置Ｂの支持バー部材１１と流し槽３の周縁部とにまな板１２、鍋蓋１３等の調理用具を掛け渡して支持可能としているため、簡単な操作で流し槽３上のスペースを利用してまな板１２や鍋蓋１３等の調理用具を置くことができると共に収納も容易にでき、取扱性ないし操作性の向上が図れる。
【００１８】
すなわち、先ず、支持バー部材１１は、図２に示すように不使用時には流し台１の流し槽３上後方の収納位置Ａにあるため食器洗い等に流し槽３を使用する場合に邪魔にならず、また、流し槽３上後方の水受け領域９に水平に納まっているため意匠的にも優れている。次に、支持バー部材１１を使用する場合には、図３に示すように支持バー部材１１を収納位置から手前に引いて（スライドさせて）使用位置Ｂに停止させれば良い。このとき、支持バー部材１１のスライド移動に追従して規制アーム部材１４が支軸１５を支点に水平回動し、規制アーム部材１４の先端部がローラ２１を介して支持バー部材１１のガイド溝２２に沿ってスライドし、支持バー部材１１を安定させてスライド移動させることができると共に支持バー部材１１を３点支持により確実に安定して支持することができる。
【００１９】
また、支持バー部材１１には規制アーム部材１４の先端部（例えばローラ２１）を支持バー部材１１の使用位置Ｂで位置決め停止するストッパー（好ましくは嵌合保持具であるキャッチャー２３）が設けられているため、支持バー部材１１を使用位置Ｂに容易に位置決め停止させることができ、キャッチャー２３を用いれば支持バー部材１１をその停止位置Ｂに保持することができ、支持バー部材１１の安定性が更に向上する。そして、この使用位置Ｂに停止された支持バー部材１１と流し槽３の周縁部との間に掛け渡してまな板１２を横置きに支持したり、鍋や鍋蓋１３、ボールやざる、フライパンや菜箸等の調理用具を流し槽３上に置くことができる。使用後は、支持バー部材１１を流し槽３の後方の収納位置Ａに押し戻すだけで簡単に撤収、収納することができ、置き場に困らず、取扱性ないし操作性の向上が図れる。また、支持バー部材１１及び規制アーム部材１４は棒状ないし長尺状で洗い易く、流し槽３上で容易に洗浄でき、清潔に保つことができる。
【００２０】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００２１】
【図１】本発明の実施の形態である流し台を示す斜視図である。
【図２】同流し台における支持バー部材の不使用時の要部平面図である。
【図３】同流し台における支持バー部材の使用時の要部平面図である。
【図４】同流し台の流し槽における支持バー部材不使用時の概略的横断面図である。
【図５】同流し台の流し槽における支持バー部材使用時の概略的横断面図である。
【図６】支持バー部材を示す図で、（ａ）は概略的平面図である。（ｂ）は同横断面図である。
【図７】規制アーム部材の基部の取付構造を示す断面図である。
【符号の説明】
【００２２】
１  流し台
３  流し槽
１０  ガイド部
１１  支持バー部材
１２  まな板
１３  鍋蓋
Ａ  収納位置
Ｂ  使用位置
【図１】
2006115869.tif 000003
【図２】
2006115869.tif 000004
【図３】
2006115869.tif 000005
【図４】
2006115869.tif 000006
【図５】
2006115869.tif 000007
【図６】
2006115869.tif 000008
【図７】
2006115869.tif 000009